(57)【要約】【課題】チャックの自然開放を防止し気水密性の確保とスライダーの脱落を確実に防止したチャック用スライダーを提供する。【解決手段】雌雄爪咬合型のチャックの上にまたがって摺動するスライダー本体１に、雌雄爪を咬合する押圧部２と、咬合した雌雄爪を引き離すための開口用ガイドとを備えたスライダーにおいて、スライダー本体１にチャック開放用レバー３を自己弾性により常に上方に位置し押圧力で下方に押し下げらるよう形成し、チャック開放用レバー３に開口用ガイド６を設け、チャック開放用レバー３の上方位置で開口用ガイド６を雌雄爪より上方で雌雄爪を咬合可能とする部位に位置し、チャック開放用レバー３の下方位置で開口用ガイド６を雌雄爪の上方で雌雄爪の咬合を引き離しする部位に位置するようにした。【選択図】図１
2009018066.tif 000002
【特許請求の範囲】
【請求項１】
合成樹脂よりなる雌雄爪咬合型のチャックの上にまたがって摺動するスライダー本体に、前記雌雄爪を咬合する押圧部と、咬合した雌雄爪を引き離すための開口用ガイドとを備えたスライダーにおいて、前記スライダー本体にチャック開放用レバーを自己弾性により常に上方に位置し押圧力で下方に押し下げらるよう形成し、このチャック開放用レバーに開口用ガイドを設け、前記チャック開放用レバーの上方位置で前記開口用ガイドを前記雌雄爪より上方で雌雄爪を咬合可能とする部位に位置し、前記チャック開放用レバーの下方位置で前記開口用ガイドを前記雌雄爪の上方で雌雄爪の咬合を引き離しする部位に位置するようにしたことを特徴とするチャック用スライダー。
【請求項２】
チャックの雌雄爪より上方に上玉縁を対向して設け、チャック開放用レバーの上方位置では開口用ガイドが前記上玉縁より上方に位置して雌雄爪を咬合可能とし、前記チャック開放用レバーの下方位置では前記開口用ガイドが上玉縁の対向間に進入位置し上玉縁の対向間隔を広げて雌雄爪の咬合を引き離するようにした請求項１に記載のチャック用スライダー。
【請求項３】
チャックの雌雄爪より下方に下玉縁を対向して設け、スライダー本体の下部に前記下玉縁に係合するスライダー脱落防止ガイドを設けた請求項１及び請求項２のいずれかに記載のチャック用スライダー
【請求項４】
チャックの雌雄爪より上方に対向して設けられている上玉縁の長手方向に凹凸を形成し、これに開口用ガイドが接触して摺動するスライダ本体にチャック開閉時の感覚を付与するようにした請求項１乃至３のいずれかに記載のチャック用スライダー。
【発明の詳細な説明】
【技術分野】
【０００１】
本発明は、袋体の開口部に設けられている再開閉可能な合成樹脂よりなる雌雄咬合型のチャックを開閉操作するスライダーに関するものである。
【背景技術】
【０００２】
表裏２枚の胴部フィルムよりなり左右にサイドシールが施され、開口部にスライダーによって開閉操作する合成樹脂よりなる雌雄咬合型のチャックを備えた合成樹脂製袋体は周知である。また、チャックの上にまたがって摺動するをスライダー本体に、前記雌雄爪を咬合する押圧部と、咬合した雌雄爪を引き離すための開口用ガイドとを備えたスライダーも周知である。
【０００３】
従来のスライダーはチャックを開くための開口用ガイドがスライダー本体の端面に位置している。そのためチャックの閉じ端においては前記開口用ガイドがチャックの雌雄爪間に位置し、チャックを完全に咬合することができず隙間ができ、この隙間により気水密性を損なっている。また、鞄や冷蔵庫のなかで、スライダー本体が何かに接触し自然にチャックが開いて内容物がこぼれてしまうという事例があった。
【０００４】
また、スライダーの脱落防止のためにスライダー本体の下部にチャックと係合する脱落防止爪を設けたものがあるが、これでは、袋体開閉操作の際の力で脱落防止爪がチャックより係合が外れてスライダーが脱落してしまう場合があった。
【特許文献１】実開昭６１−１３６１２公報
【特許文献２】特開平８−２１４９２０公報
【特許文献３】特開２００１−１３０５９４公報
【発明の開示】
【発明が解決しようとする課題】
【０００５】
本発明は、チャックの自然開放を防止し気水密性の確保とスライダーの脱落を確実に防止したチャック用スライダーを提供することである。
【課題を解決するための手段】
【０００６】
上記の課題を解決するための本発明は、請求項１に記載の通り、合成樹脂よりなる雌雄爪咬合型のチャックの上にまたがって摺動するスライダー本体に、前記雌雄爪を咬合する押圧部と、咬合した雌雄爪を引き離すための開口用ガイドとを備えたスライダーにおいて、前記スライダー本体にチャック開放用レバーを自己弾性により常に上方に位置し押圧力で下方に押し下げらるよう形成し、このチャック開放用レバーに開口用ガイドを設け、前記チャック開放用レバーの上方位置で前記開口用ガイドを前記雌雄爪より上方で雌雄爪を咬合可能とする部位に位置し、前記チャック開放用レバーの下方位置で前記開口用ガイドを前記雌雄爪の上方で雌雄爪の咬合を引き離しする部位に位置するようにしたものである。
【０００７】
請求項２に記載の通り、請求項１に記載のチャック用スライダーにおいて、チャックの雌雄爪より上方に上玉縁を対向して設け、チャック開放用レバーの上方位置では開口用ガイドが前記上玉縁より上方に位置して雌雄爪を咬合可能とし、前記チャック開放用レバーの下方位置では前記開口用ガイドが上玉縁の対向間に進入位置し上玉縁の対向間隔を広げて雌雄爪の咬合を引き離するようにしたものである。
【０００８】
請求項３に記載の通り、請求項１及び請求項２のいずれかに記載のチャック用スライダーにおいて、チャックの雌雄爪より下方に下玉縁を対向して設け、スライダー本体の下部に前記下玉縁に係合するスライダー脱落防止ガイドを設けたものである。
【０００９】
請求項４に記載の通り、請求項１乃至請求項３のいずれかに記載のチャック用スライダーにおいて、チャックの雌雄爪より上方に対向して設けられている上玉縁の長手方向に凹凸を形成し、これに開口用ガイドが接触して摺動するスライダ本体にチャック開閉時の感覚を付与するようにしたものである。
【発明の効果】
【００１０】
本発明によると、チャックを閉じるときにはチャック開放用レバーが自己弾性により常に上方に位置して開口用ガイドは雌雄爪から離れた位置にあるため、チャックは開口用ガイドに影響されることなく閉じ端までチャックの全幅に渡って完全に雌雄爪を咬合しスライダーの閉じ端において隙間が生ずることがなくなり気水密性を確保すると共に、スライダー本体をチャックの開き方向に自然移動しても開口用ガイドは閉じているチャック咬合を引き離すことがなく、チャックは確実に閉じた状態を維持するため、チャックの自然開放を防止する。また、スライダー本体は下玉縁にスライダー脱落防止ガイドを介して係合しているため、スライダー本体の脱落を確実に防止する。さらに、上玉縁の長手方向に形成している凹凸に開口用ガイドが接触して摺動するため、スライダ本体にチャック開閉時にのチャックの開閉操作を指先に感覚を付与する等の効果を有している。
【発明を実施するための最良の形態】
【００１１】
以下本発明を実施するための最良の形態を図面に基づいて説明する。図１乃至図４において、１は合成樹脂よりなる雌雄爪咬合型のチャックの上にまたがって摺動するスライダー本体である。このスライダ本体１には前記雌雄爪を咬合する押圧部２と、咬合した雌雄爪を引き離すための開口用ガイド６と、スライダ本体１の下部前後にスライダー脱落防止ガイド７ａ、７ｂとを備えている。
【００１２】
前記スライダ本体１により開閉される合成樹脂よりなる雌雄爪咬合型のチャック８は図５で示すように、チャック８の雌雄爪８ａ、８ｂより上方に上玉縁９を対向して設け、また、チャック８の雌雄爪より８ａ、８ｂ下方に下玉縁１０を対向して設けた構造である。尚、符号１２は合成樹脂製の袋体を示す。従って、前記チャック８は前記袋体１２の開口端部内側面に設けられている。
【００１３】
そこで、本発明のチャック用スライダーは、前記開口用ガイド６を前記スライダー本体１の上面にヒンジ４により自己弾性で常に上方に位置し押圧力で下方に押し下げらるよう形成したチャック開放用レバー３に支柱５を介して設け、前記チャック開放用レバー３の上方位置で前記開口用ガイド６を前記雌雄爪８ａ、８ｂより上方で雌雄爪８ａ、８ｂを咬合可能とする部位に位置し、前記チャック開放用レバー６の下方位置で前記開口用ガイド６を前記雌雄爪８ａ、８ｂより上方で雌雄爪８ａ、８ｂの咬合を引き離しする部位に位置するようにしたものである。
【００１４】
前記チャック開放用レバー３の上方位置で前記開口用ガイド６はチャック８の雌雄爪８ａ、８ｂを咬合可能とする部位に位置し、前記チャック開放用レバー６の下方位置で前記開口用ガイド６はチャック８の雌雄爪８ａ、８ｂの咬合を引き離しする部位に位置する具体的な態様を図６乃至図９によって説明する。
【００１５】
図６及び図７はチャック開放用レバー３の上方位置で開口用ガイド６がチャック８の雌雄爪８ａ、８ｂを咬合可能とする部位に位置した状態を示す。チャック開放用レバー３の上方位置では開口用ガイド６は雌雄爪８ａ、８ｂの上方の上玉縁９より上方に位置するため、図７で理解されるようにチャック８の雌雄爪８ａ、８ｂは左右に開くことがなく、この状態でスライダー本体１をチャツク８の閉じ方向及開き方向の何れの方向にスライドしてもチャック８の雌雄爪８ａ、８ｂは押圧部２によって咬合し、かつ咬合状態を維持してチャック８は開放することがない。
【００１６】
図８及び図９は自己弾性で常に上方に位置しているチャック開放用レバー３を押し下げた下方位置で開口用ガイド６がチャック８の雌雄爪８ａ、８ｂの咬合を引き離しする部位に位置した状態を示す。チャック開放用レバー３の押し下げにより開口用ガイド６が左右上玉縁９の間に進入して対向間隔を広げるため、図９で理解されるようにチャック８の雌雄爪８ａ、８ｂは左右に開き雌雄爪８ａ、８ｂの咬合を引き離す。従って、チャック開放用レバー３を指先で押し下げた状態を保持してスライダー本体１をチャツク８の開き方向にスライドすることによりチャック８の雌雄爪８ａ、８ｂは咬合を解除して開放する。尚、指先を開口用ガイド６から離すことによりチャック開放用レバー３は自己弾性で上方位置に復元し、開口用ガイド６は雌雄爪８ａ、８ｂの上方の上玉縁９より上方に位置するため、前記のとおりスライダー本体１をチャツク８の閉じ方向及開き方向の何れの方向にスライドしてもチャック８の雌雄爪８ａ、８ｂは押圧部２によって咬合し、かつ咬合状態を維持する。
【００１７】
また、スライダー本体１は、その下部の前後に形成されているスライダー脱落防止ガイド７ａ、７ｂが下玉縁１０に係合しているため、スライダー本体１のスライド時の袋体開閉操作の際の力でスライダー本体１がチャック８から外れて脱落することを確実に防止している。
【００１８】
前記開口用ガイド６にチャック開放部挿入ガイド１３を設けることが望ましい。このチャック開放部挿入ガイド１３により開口用ガイド６が下方に押し下げられる際に円滑にガイドすると共に、スライダー本体１のスライド時に開口用ガイド６を上玉縁９間のセンタへ位置し、チャック８の開閉をより一層スムーズにする。
【００１９】
図１０及び図１１は本発明の変形例を示す。この変形例は上玉縁９にその長手方向に所要の間で切欠１１を設けて凹凸面を形成する。これによりスライダー本体１のスライド時に開口用ガイド６が上玉縁９の凹凸面に摺接してピチピチ音や指先に振動を感じ、チャック開閉時の感覚を付与する。
【００２０】
このように本発明は、チャックの全幅に渡って完全に雌雄爪を咬合しスライダーの閉じ端において隙間が生ずることがなくなり気水密性を確保すると共に、一度全閉されたチャックはチャック開放用レバー３を押し下げない限り如何なる位置にスライドしても開放することがなく、チャックの自然開放を防止する。また、下玉縁にスライダー脱落防止ガイドを介して係合しているスライダー本体は脱落を確実に防止する利点を有している。
【図面の簡単な説明】
【００２１】
【図１】チャック開放用レバーが上方に位置している状態のスライダーの側面図
【図２】チャック開放用レバーが下方に位置している状態のスライダーの側面図
【図３】図１の正面図
【図４】スライダーを下側から視た下面図
【図５】チャックの断面図
【図６】チャック開放用レバーが上方に位置している状態でスライダーがチャックに装着されている要部側面図
【図７】図５の正面図
【図８】チャック開放用レバーが下方に位置している状態でスライダーがチャックに装着されている要部側面図
【図９】図８の正面図
【図１０】本発明の変形例を示す要部側面図
【図１１】図１０のＡ−Ａ断面図
【符号の説明】
【００２２】
１      スライダー本体
２      雌雄爪を咬合する押圧部
３      チャック開放用レバー
４      ヒンジ
５      支柱
６      開口用ガイド
７ａ    スライダー脱落防止ガイド
７ｂ    スライダー脱落防止ガイド
８      チャック
９      上玉縁
１０      下玉縁
１１      切欠
１２      袋体
１３      チャック開放部挿入ガイド
【図１】
2009018066.tif 000003
【図２】
2009018066.tif 000004
【図３】
2009018066.tif 000005
【図４】
2009018066.tif 000006
【図５】
2009018066.tif 000007
【図６】
2009018066.tif 000008
【図７】
2009018066.tif 000009
【図８】
2009018066.tif 000010
【図９】
2009018066.tif 000011
【図１０】
2009018066.tif 000012
【図１１】
2009018066.tif 000013
【手続補正書】
【提出日】平成19年7月23日(2007.7.23)
【手続補正１】
【補正対象書類名】図面
【補正対象項目名】図７
【補正方法】変更
【補正の内容】
【図７】
2009018066.tif 000014
【手続補正２】
【補正対象書類名】図面
【補正対象項目名】図９
【補正方法】変更
【補正の内容】
【図９】
2009018066.tif 000015